(57)【特許請求の範囲】
【請求項１】
前面視縦長の直方体に形成された、内部に機器を収納する外装ケース（１）と、外装ケース（１）内の背面側部分に形成された、室内空気と熱交換する熱交換器（２）が収納された熱交換器室（３）と、外装ケース（１）内の前面側部分に鉛直方向に配列して形成された、ファン（４）及び駆動用モータ（４ａ）が各１台ずつ収納された複数のファン室（５ａ，５ｂ，５ｃ）とを備え、
前記熱交換器室（３）には室内空気吸込口（１８）が形成され、
前記ファン室（５ａ，５ｂ，５ｃ）には、前記ファン（４）が熱交換器室（３）に向けてファン吸込口（４ｂ）を開口するように配置され、
各ファン室（５ａ，５ｂ，５ｃ）の前面には、各ファン室（５ａ，５ｂ，５ｃ）を介して各ファン（４）から吹き出された空気を室内へ吹き出す室内吹出口（２０）が形成され、
さらに、これら室内吹出口（２０）には、それぞれファンガード（３１，３２，３３）が着脱可能に取り付けられ、
前記各ファンガード（３１，３２，３３）は、金属製線状体を縦横に配置して、複数の縦柵（３１ａ，３２ａ，３３ａ）及び横柵（３１ｂ，３２ｂ，３３ｂ）がそれぞれ一定間隔に配置されて網状に形成され、
前記複数の縦柵（３１ａ，３２ａ，３３ａ）のうちの左右方向の最側部の縦柵（３１ａ，３２ａ，３３ａ）は、上下端部が折り曲げられてねじ挿通部（３１ｃ，３２ｃ，３３ｃ）として形成され、
前記複数の縦柵のうちの左右方向の中間に位置する縦柵（３１ａ，３２ａ，３３ａ）は、上下端部が前記室内吹出口（２０）の内方に折り曲げられ、この折り曲げられた部分に対し複数の横柵（３１ｂ，３２ｂ，３３ｂ）が交差するように連結され、これによりファンガード（３１，３２，３３）の上下端部に折曲網部（３１ｄ，３２ｄ，３３ｄ）が形成されている
ことを特徴とする空気調和機。
【請求項２】
請求項１記載の空気調和機において、
ファンガード（３１，３２，３３）における折曲網部（３１ｄ，３２ｄ，３３ｄ）のうちの少なくとも一部がファン室（５ａ，５ｂ，５ｃ）の水平方向を区画する区画板（１９）に沿うように取り付けられている
ことを特徴とする空気調和機。
【請求項３】
請求項１又は２記載の空気調和機において、
鉛直方向に隣り合うファンガード（３１，３２）の間に、鉛直方向に比し左右方向の寸法が大きい略直方体のスイッチボックス（２１）が配置されるとともに、一部のファンガード（３１）の折曲網部（３１ｄ）がこのスイッチボックス（２１）の外表面に沿うように取り付けられている
ことを特徴とする空気調和機。
【請求項４】
請求項１〜３の何れか１項に記載の空気調和機において、
一部のファンガード（３２）の折曲網部（３２ｄ）が、区画板に沿うように取り付けられた、隣接するファンガード（３３）の折曲網部（３３ｄ）に沿うように取り付けられている
ことを特徴とする空気調和機。
【請求項５】
請求項１〜４の何れか１項に記載の空気調和機は、電算機室に設置される空気調和機であって、前記熱交換器（２）には冷却された冷媒が循環されるように構成されている
ことを特徴とする空気調和機。
【請求項６】
請求項５に記載の空気調和機において、前記複数の室内吹出口（２０）は、全体として外装ケース（１）の前面に略全体に亘るように形成され、前記室内空気吸込口（１８）は外装ケース（１）の背面に形成されている
ことを特徴とする空気調和機。
【発明の詳細な説明】
【技術分野】
【０００１】
本願発明は、空気調和機に係り、特に、前面に室内吹出口を開口した空気調和機の構造に関する。
【背景技術】
【０００２】
室内空気を外装ケースの後方部から吸い込み、熱交換した後の空気を前面から吹き出すようにした空気調和機として、従来特許文献１のものが知られている。この空気調和機によれば、ファン吸込口が後方に向くようにターボファンが外装ケース内に配置されるとともに、室内吸込口が外装ケースの延出ケーシング部の両側面に設けられている。そして、ターボファンの外周部から吹き出された空気が、ターボファンの左右側方に設けられた熱交換器を通過して熱交換され、外装ケースの前面における左右側部に設けられた室内吹出口から吹き出されるように構成されている。
【先行技術文献】
【特許文献】
【０００３】
【特許文献１】特開２００６−３３６９１０号公報
【発明の概要】
【発明が解決しようとする課題】
【０００４】
上記従来の空気調和機は、小容量の薄型の空気調和機として好適な構造を提供するものであるが、大容量の空気調和機とする場合には大きな室内吹出口を開口することが困難であるとともに、大きな容量の熱交換器を配置することも困難であった。また、ターボファンを交換する等のアフターサービスの場合に、前面、側面及び吹出グリルを備えたケーシングを取り外す必要があり、手間が掛かるという問題があった。
【０００５】
本発明は、従来技術におけるこのような課題に鑑み成されたものであって、複数のファンを備えた大容量形の空気調和機において、室内吹出口をファンサービス口としてファン毎にアフターサービスを可能にした、簡易な構造の空気調和機を提供することを目的とする。
【課題を解決するための手段】
【０００６】
請求項１に記載の発明に係る空気調和機は、前面視縦長の直方体に形成された、内部に機器を収納する外装ケースと、外装ケース内の背面側部分に形成された、室内空気と熱交換する熱交換器が収納された熱交換器室と、外装ケース内の前面側部分に鉛直方向に配列して形成された、ファン及び駆動用モータが各１台ずつ収納された複数のファン室とを備え、前記熱交換器室には室内空気吸込口が形成され、前記ファン室には、ファンが熱交換器室に向けてファン吸込口を開口するように配置され、各ファン室の前面には、各ファン室を介して各ファンから吹き出された空気を室内へ吹き出す室内吹出口が形成され、さらに、これら室内吹出口には、それぞれファンガードが着脱可能に取り付けられ、前記各ファンガードは、金属製線状体を縦横に配置して、複数の縦柵及び横柵がそれぞれ一定間隔に配置されて網状に形成され、前記複数の縦柵のうちの左右方向の最側部の縦柵は、上下端部が折り曲げられてねじ挿通部として形成され、前記複数の縦柵のうちの左右方向の中間に位置する縦柵は、上下端部が前記室内吹出口の内方に折り曲げられ、この折り曲げられた部分に対し複数の横柵が交差するように連結され、これによりファンガードの上下端部に折曲網部が形成されていることを要旨とする。
【０００７】
上記構成によれば、ファン室には、ファンが熱交換器室に向けてファン吸込口を開口するように配置されているので、機内循環用のファンの吸込側に熱交換器が配置されることになり、熱交換器を大きくすることができるとともに、熱交換器における風速分布を均一にすることができる。また、ファン室は、ファン及び駆動用モータが各１台ずつ収納される室として複数形成されるとともに、各ファン室の前面には、各ファン室を介して各ファンから吹き出された空気を室内へ吹き出す室内吹出口が形成されている。そして、この各室内吹出口には、それぞれファンガードが着脱可能に取り付けられた簡易な構造とされている。したがって、ファンガードを取り外すことにより、室内吹出口をファンサービス口としてファン毎にファン交換等の保守サービスを迅速に行うことができる。また、複数のファンが使用されているので、高静圧、かつ大風量の送風を行う空気調和機とすることができる。また、一部のファンが故障した場合において、残余のファンにより暫定的に空気調和機を運転することができる。
【０００９】
また、前面視縦長の直方体に形成された外装ケースにおけるファン室前面の室内吹出口に対し、複数の縦柵及び横柵がそれぞれ一定間隔に配置された網状のファンガードとして前面吹出口に配置されているので、このファンガードを嵩張らない前面装飾部材として取り扱うことができる。また、各ファンガードは、左右の縦柵のみにより外装ケースに固定されているので、着脱が容易である。また、このファンガードの上下端部は、どこにも固定されないが、縦柵の上下端部が室内吹出口の内方に折り曲げられ、この折り曲げられた部分に対し複数の横柵が交差するように連結され、これによりファンガードの上下端部に折曲網部が形成されている。したがって、この折曲網部が形成されていることにより、各ファンガードの上下端部の強度が向上している。
【００１０】
請求項２に記載の発明は、請求項１記載の空気調和機において、ファンガードにおける折曲網部のうちの少なくとも一部がファン室の水平方向を区画する区画板に沿うように取り付けられていることを要旨とする。
【００１１】
上記構成によれば、ファンガードを取り付ける際に、このファンガードにおける折曲網部のうちの少なくとも一部がファン室の水平方向を区画する区画板に沿うように取り付けられているので、区画板をファンガードの取付位置案内部品として機能させることができる。したがって、ファンガードの組み付けが容易になる。また、区画板は、この区画板に接触又は近接するファンガードの端部の変形を予防する部材としても機能する。
【００１２】
請求項３に記載の発明は、請求項１又は２記載の空気調和機において、鉛直方向に隣接するファンガードの間に、鉛直方向に比し左右方向の寸法が大きい略直方体のスイッチボックスが配置されるとともに、一部のファンガードの折曲網部がこのスイッチボックスの水平方向の外表面に沿うように取り付けられていることを要旨とする。
【００１３】
上記構成によれば、一部のファンガードを取り付ける際に、このファンガードの折曲網部がスイッチボックスの水平方向の外表面に沿うように取り付けられているので、スイッチボックス面をファンガードの取付位置案内部品として機能させることができる。したがって、ファンガードの組み付けが容易になる。また、スイッチボックスは、このスイッチボックスに接触又は近接するファンガードの端部の変形を予防する部材としても機能する。
【００１４】
請求項４に記載の発明は、請求項１〜３の何れか１項に記載の空気調和機において、一部のファンガードの折曲網部が、区画板に沿うように取り付けられた、隣接するファンガードの折曲網部に沿うように取り付けられていることを要旨とする。
【００１５】
上記構成によれば、一部のファンガードを取り付ける際に、このファンガードの折曲網部が隣接するファンガードの折曲網部に沿うように取り付けられているので、この隣接するファンガードの折曲網部を前記一部のファンガードの取付位置案内部品として機能させることができる。したがって、ファンガードの組み付けが容易になる。また、これら隣接するファンガード双方の折曲網部は、相互にファンガードの端部の変形を予防する部材としても機能する。
【００１６】
請求項５に記載の発明は、請求項１〜４の何れか１項に記載の空気調和機が、電算機室に設置される空気調和機であって、前記熱交換器には冷却された冷媒が循環されるように構成されていることを要旨とする。
【００１７】
上記構成によれば、大風量化が容易であるとともにファンのアフターサービスが容易である。熱交換器として冷媒を強制循環させる方式のものが使用されているので、電算機室に設置されている電算機に水が浸入する恐れがなく安全である。ファンとして複数台のファンが使用されているので、一部のファンが故障した場合等においても故障していない残余のファンにより暫定的に冷却運転を行うことができる。このような特性を備えた空気調和機は、電算機室用の空気調和機として好適である。
【００１８】
請求項６に記載の発明は、請求項５記載の空気調和機において、前記複数の室内吹出口は、全体として外装ケースの前面に略全体に亘るように形成され、前記室内空気吸込口は外装ケースの背面に形成されていることを要旨とする。
【００１９】
上記構成によれば、大風量、前面吹出、背面吸い込み形の空気調和機として形成されるので、近年普及している前面吸い込み背面吹出の電算機ラックと並べて設置することができる。したがって、電算機室用の空気調和機として電算機室へのレイアウトが容易となる。
【図面の簡単な説明】
【００２０】
【図１】本発明の実施の形態に係る空気調和機の模式構成図。
【図２】同空気調和機の模式平面配置図。
【図３】同空気調和機の前方から見た外観斜視図。
【図４】図３において前板を取り外した状態の斜視図。
【図５】図４において側板及び後板を取り外し、内部構成を図示した状態の斜視図。
【図６】図５において前面のファンガード取り外した状態の分解斜視図。
【図７】同空気調和機における上ファンガードの斜視図。
【図８】同空気調和機における中ファンガード及び下ファンガードの斜視図。
【図９】同空気調和機における上ファンガードの上方取付部の拡大図。
【図１０】同空気調和機における上ファンガードの下方取付部及び中ファンガードの上方取付部の拡大図であって、上ファンガードを取り外した状態図。
【図１１】同空気調和機における上ファンガードの下方の折曲網部及び中ファンガードの上方の折曲網部周辺の断面図。
【図１２】同空気調和機における中ファンガードの下方の折曲網部及び下ファンガードの上方の折曲網部周辺の断面図。
【発明を実施するための形態】
【００２１】
以下図面を参照しながら、本発明の実施の形態について説明する。
先ず、図１及び図２に基づきこの空気調和機の概略構成を説明する。なお、以下の説明において、前後方向、左右方向及び上下方向（又は鉛直方向）というときは、図１〜図３に示した方向をいうものとする。
【００２２】
本実施の形態に係る空気調和機は、電算機室用の空気調和機であって、図１及び図２に示すように、内部に機器を収納する外装ケース１内の背面側部分に室内空気と熱交換する熱交換器２を収納する熱交換器室３が形成され、外装ケース１の前面側部分にモ−タ駆動のファン４が収納されたファン室５が形成されている。ファン４はターボファンであって３台搭載されており、ファン室５は１台のファン４とその駆動用モータ４ａとを収納するように３室に分割されている。また、分割されたファン室５ａ，５ｂ，５ｃは、鉛直方向に３室並ぶように配置されている。なお、この明細書において、分割されたファン室について個々に区別して述べるときは、上から順に上ファン室５ａ、中ファン室５ｂ、下ファン室５ｃと称するものとする。
【００２３】
また、この空気調和機は、図１に示すように、冷却ユニット６により冷却された冷媒を熱交換器２に流通させて室内空気を冷却するファンコイルユニットとして形成されている。冷却ユニット６は、水配管７により別の冷却源から搬送される冷水により冷媒を冷却するものであって、この冷却ユニット６内の熱交換器８と、空気調和機内の熱交換器２とが冷媒配管９により接続されている。なお、水配管７及び冷媒配管９には、それぞれ循環用のポンプ７ａ，９ａが接続されている。
【００２４】
次に、各部の構成について図３乃至図１１を用いてさらに詳しく説明する。
外装ケース１は、図３に示すように、外装ケース１の前面を形成する前板１１、側面を形成する左右の側板１２、天面を形成する天板１４、空気調和機の骨組みを成すフレーム部材１６を有する。なお、この図３においては、この空気調和機の下方にベデスタルという台１５が配置されて図示されている。また、前板１１、側板１２、後板１３及び天板１４は、フレーム部材１６に対し取り付けられている。
【００２５】
前板１１は、フレーム部材１６に対し開きドア式に取り付けられるとともに、背面側においてフレーム部材１６の正面４隅に取り付けられた耐震ピン１１ａに係合され、地震時に外れないように規制されている。また、前板１１は、フレーム部材１６の左側前部に設けられたキー機構（具体的機構の説明は省略）により普段は施錠されている。なお、このキー機構は、前板１１の中段左側に位置するレバー１１Ａを引くと開錠され、レバー１１Ａを押すことにより施錠されるように構成されている。さらに、前板１１は、中央部が開口部１１ｂとして形成されており、この開口部１１ｂを通じファン室５ａ，５ｂ，５ｃが外部に連通されるように構成されている。
【００２６】
側板１２は、図３乃至図５から分かるように、左右の側板１２が対称的に形成されたものであって、フレーム部材１６に対しねじ止めされている。
後板１３は、前板１１と同様に中央に開口部が設けられ、この開口部を通じ熱交換器室３が外部に連通されるように構成されたものであって、その外観は前板に類似する。なお、その具体的な形状及び構造についての図示はここでは省略する。
【００２７】
天板１４は、図３に示すように、後方に冷却ユニット６とを連絡する冷媒配管９を貫通させるための開口部１４ａが設けられるとともに、４隅に搬送用のフック部材１４ｂが取り付けられている。
【００２８】
フレーム部材１６は、外板を構成する前板１１、側板１２、後板１３、天板１４が取り付けられるとともに、内部にファン４や熱交換器２を取り付けるための直方体の骨組み構造部を形成するものであって、各部の目的に応じ各種構造の部材が使用されている。例えば、前面には、前板１１を取り付けるのに都合のよいように額縁状に形成された枠部材１６ａが形成されている。
【００２９】
フレーム部材１６の前後方向の中間部には、外装ケース１内の空間部を前後に仕切るための仕切り板１７が設けられている。そして、背面側の空間部は、熱交換器２を収納する熱交換器室３として形成され、前面側の空間部は１台のファン４及び駆動用モータ４ａを収納するファン室５として形成されている。
【００３０】
熱交換器室３に収納されている熱交換器２は、平面視Ｖ字形のクロスフィンコイル式熱交換器であって、後方に開くＶ字型に形成されている。また、熱交換器室３の後面は室内空気吸込口１８として開放されるとともに（図５参照）、この室内空気吸込口１８には図示していないがエアフィルタが取り付けられる。
【００３１】
また、ファン室５は、区画板１９により鉛直方向に区画され、上ファン室５ａ、中ファン室５ｂ、下ファン室５ｃが鉛直方向に並ぶように形成されている。各ファン室５ａ，５ｂ，５ｃに収納されるファン４は、モータ駆動のターボファンであって、回転軸を前後方向とし、回転中心部の前方から内部に向かって駆動用モータ４ａが組み込まれるとともに、ファン吸込口（ベルマウス）４ｂが後方の熱交換器室３に開放するように取り付けられている（図２も参照）。また、このファン吸込口４ｂから吸い込まれた空気は、ファン４の全外周から各ファン室５ａ，５ｂ，５ｃ内に吹き出される。そして、ファン４から吹き出された空気は、各ファン室５ａ，５ｂ，５ｃ内を経由して各ファン室５ａ，５ｂ，５ｃ前方の開口部を室内吹出口２０として、この室内吹出口２０から吹き出されるように形成されている。
【００３２】
各ファン室５ａ，５ｂ，５ｃ前方の室内吹出口２０は、前述のフレーム部材１６の前部に形成された枠部材１６ａと区画板１９により形成されるファン室５ａ，５ｂ，５ｃの前面開口部の略全体を占めるように形成されている。但し、上ファン室５ａの下方部には、鉛直方向の寸法が小さく左右方向の寸法が大きい、略室内吹出口２０の全幅にわたるように形成された略直方体のスイッチボックス２１が配置されている。
【００３３】
また、これら室内吹出口２０には、ファンガード３０が取り付けられている。ファンガード３０は、この空気調和機の使用者や取扱者が指をファン室５の内部に突っ込むことのないように予防するものであるが、この実施の形態においては装飾用のグリルを兼ねている。また、ファンガード３０は、上ファン室５ａの前面に取り付けられる上ファンガード３１、中ファン室５ｂの前面に取り付けられる中ファンガード３２及び下ファン室５ｃの前面に取り付けられる下ファンガード３３からなり、図６の分解斜視図に示すように、それぞれが４隅においてねじ３４により着脱自在に取り付けられている。
【００３４】
上ファンガード３１は、図６及び図７に示すように、金属製線状体を一定間隔で縦横に配置して複数（この実施の形態においては６本）の縦柵３１ａ及び多数の横柵３１ｂにより網状に形成されている。
【００３５】
上記上ファンガード３１において、縦柵３１ａは、主たる強度部材として機能するように大径の断面円形の金属製線状体から形成されている。これに対し、横柵３１ｂは、この空気調和機の使用者や取扱者が指をファン室５の内部に突っ込むことのないように予防するものであって、縦柵３１ａに比し径の小さい断面円形の金属製線状体から形成されるとともに、人の指が入らないような間隔で取り付けられている。
【００３６】
また、６本の縦柵３１ａにおける左右方向の最側部の縦柵３１ａは、上下端部がリング状に曲げられてねじ挿通部３１ｃとして形成されている。また、残りの室内吹出口２０の中間部に位置する縦柵３１ａは、端部が室内吹出口２０の内方に折り曲げられるとともに、この折り曲げられた部分に複数の横柵３１ｂが交差するように連結されている。これにより、上ファンガード３１の上下端部に折曲網部３１ｄが形成されている。
【００３７】
中ファンガード３２及び下ファンガード３３は、全く同一形状に形成されている。したがって、ここでは中ファンガード３２を代表例として図８に基づき説明する。なお、下ファンガード３３の符号を括弧内に示す。
【００３８】
中ファンガード３２（下ファンガード３３）は、上ファンガード３１と同様に金属製線状体を縦横に配置して複数（この実施の形態においては６本）の縦柵３２ａ（３３ａ）及び多数の横柵３２ｂ（３３ｂ）により網状に形成されている。また、この中ファンガード３２（下ファンガード３３）における縦柵３２ａ（３３ａ）及び横柵３２ｂ（３３ｂ）は、上ファンガード３１における縦柵３１ａと同一の金属製線状体が使用されている。
【００３９】
また、中ファンガード３２（下ファンガード３３）における縦柵３２ａ（３３ａ）は、上ファンガード３１における縦柵３１ａの延長線上に配置されている。また、横柵３２ｂ（３３ｂ）も上ファンガード３１の横柵３１ｂと同一の間隔で、かつ左右の長さも同一となるように形成されている。
【００４０】
また、６本の縦柵３２ａ（３３ａ）における左右方向の最側部の縦柵３２ａ（３３ａ）は、上ファンガード３１の場合と同様に、上下端部がリング状に曲げられてねじ挿通部３２ｃ（３３ｃ）として形成されている。そして、残りの縦柵３２ａ（３３ａ）の端部が室内吹出口２０の内方に折り曲げられるとともに、この折り曲げられた部分に複数の横柵３２ｂが交差するように連結されている。これにより、中ファンガード３２（下ファンガード３３）の上下端部に折曲網部３２ｄ（３３ｄ）が形成されている。
【００４１】
また、上記構成のファンガード３１，３２，３３は、図６に示すように、枠部材１６ａの左右の内側面に取り付けられた取付板に対し固定されている。すなわち、上ファンガード３１の上方部をねじ止めするための取付板３５が枠部材１６ａにおける内側面の上方部に取り付けられている。同様に、上ファンガード３１の下方部、スイッチボックス２１、及び、中ファンガード３２の下方部をねじ止めするための取付板３６が、枠部材１６ａにおける内側面の中間よりやや高い位置に取り付けられている。また、中ファンガード３２の下方部及び下ファンガード３３の上方部をねじ止めするための取付板３７が、枠部材１６ａにおける内側面の中間よりやや低い位置に取り付けられている。また、下ファンガード３３の下方部をねじ止めするための取付板３８が、枠部材１６ａにおける内側面の下方部に取り付けられている。
【００４２】
これら取付板３５，３６，３７，３８のうち、上ファンガード３１の上方部をねじ止めするための取付板３５の周辺部の詳細を図９に示し、上ファンガード３１の下方部、スイッチボックス２１、及び中ファンガード３２の下方部をねじ止めするための取付板３６の周辺部の詳細を図１０に示す。これら図からも分かるように、取付板３５，３６，３７，３８は、平断面Ｌ字型に形成されている。また、上ファンガード３１の下方部、スイッチボックス２１、及び中ファンガード３２の上方部をねじ止めするための取付板３６においては、中央部の２個のねじ孔がスイッチボックス２１の取り付け用とされている。そして、各ファンガード３１，３２，３３は、それぞれのねじ挿通部３１ｃ，３２ｃ，３３ｃにねじ３４が挿通されて、取付板３５，３６，３７，３８に対してねじ止めされて取り付けられている。
【００４３】
また、上ファンガード３１は、図６から推測されるように、上方の折曲網部３１ｄが最上部の区画板１９の下表面に沿うように取り付けられるとともに、図１１に示すように、下方の折曲網部３１ｄがスイッチボックス２１の上外表面に沿うように取り付けられている。また、中ファンガード３２は、図１１に示すように、上方の折曲網部３２ｄがスイッチボックス２１の下の区画板１９に沿うように取り付けられるとともに、図１２に示すように、下方の折曲網部３２ｄが下ファンガード３３の上方の折曲網部３３ｄに沿うように取り付けられている。また、下ファンガード３３は、図１２に示すように、上方の折曲網部３１ｄが区画板１９の上表面に沿うように取り付けられるとともに、図６から推測されるように、下方の折曲網部３１ｄが最下部の区画板１９の上表面に沿うように取り付けられている。
【００４４】
次にこのように構成された空気調和機におけるファンガード３０の機能について説明する。
ファンガード３０は、この空気調和機の使用者や、アフターサービスなどを行う取扱者の指が回転するファン４の翼に触れないように保護する機能を有する。この点に関し、各ファンガード３１，３２，３３は、左右の端部は縦柵３１ａ，３２ａ，３３ａが端部近辺に取り付けられているので、この縦柵３１ａ，３２ａ，３３ａを構成する金属製線状体の径を太くして強度を向上させることにより、ファンガード３１，３２，３３の左右端部の強度を強くしている。また、このような縦柵３１ａ，３２ａ，３３ａに比べて横柵３１ｂ，３２ｂ，３３ｂを形成する金属製線状体の径を細くして、その数を増やすことにより、指を入らないようにしている。さらに、縦柵３１ａ，３２ａ，３３ａの上下端部が折り曲げられ、この折り曲げられた部分に対し横柵３１ｂ，３２ｂ，３３ｂが交差するように結合されている。これにより、ファンガード３１，３２，３３の上下端部に折曲網部３１ｄ，３２ｄ，３３ｄが形成されている。このようにして、ファンガード３１，３２，３３の上下端部に折曲網部３１ｄ，３２ｄ，３３ｄが形成されることにより、ファンガード３１，３２，３３の上下端部の強度が向上されるとともに、指が入り難くなるように構成されている。
【００４５】
このファンガード３１，３２，３３は、室内吹出口２０の装飾部材を兼用しており、このファンガード３１，３２，３３が外部に晒される構造に形成されている。このような構成は、外装ケース１の簡略化に貢献するとともに、このファンガード３１，３２，３３を取り外すことにより、室内吹出口２０をサービス口として容易にファン４及び駆動用モータ４ａの交換、修理等のアフターサービスを可能としている。
【００４６】
ファン４及び駆動用モータ４ａの交換、修理等のアフターサービスは次のようにして行われる。
何れかのモータ駆動のファン４が故障した場合には、先ず前板１１のレバー１１Ａを引いて前板１１を開く。
【００４７】
次いで、故障したファン４が収納されているファン室５ａ，５ｂ，５ｃのファンガード３１，３２，３３を取り外す。ファンガード３１，３２，３３の取り外しは、４隅のねじ３４を取り外すことにより行える。また、ファンガード３１，３２，３３が取り外されると、室内吹出口２０をサービス口として前方からファン４及び駆動用モータ４ａに接することができ、ファン４及び駆動用モータ４ａの取り外し、取り付けなどのアフターサービスを行うことができる。そして、ファン４及び駆動用モータ４ａの交換、修理等が完了したときは、取り外したファンガード３１，３２，３３を室内吹出口２０に取り付けて、開きドア式に開放されていた前板１１を閉じ、レバー１１Ａの操作により施錠する。このようにしてファン４及び駆動用モータ４ａのアフターサービスを行うことができる。
【００４８】
また、各ファンガード３１，３２，３３の取り付けは、次のようにして行われる。
先ず下ファンガード３３を取り付ける。この取り付けは、下方の折曲網部３３ｄを最下部の区画板１９の上表面に沿わせるとともに、上方の折曲網部３３ｄをファン室５ｂとファン室５ｃとを区画する区画板１９の上表面に沿わせるようにして取付位置に保持する（図１２参照）次いで、４隅のねじ挿通部３３ｃにねじ３４を挿入して、フレーム部材１６前面の枠部材１６ａに固定する。
【００４９】
次に、中ファンガード３２を取り付ける。この取り付けは、下方の折曲網部３２ｄを下ファンガード３３の上方の折曲網部３３ｄの上面に沿わせるとともに（図１２参照）、上方の折曲網部３２ｄをファン室５ｂとファン室５ｃとを区画する区画板１９の下表面に沿わせるようにして取付位置に保持する。次いで、４隅のねじ挿通部３２ｃにねじ３４を挿入して、フレーム部材１６前面の枠部材１６ａに固定する。
【００５０】
次に、上ファンガード３１を取り付ける。この取り付けは、下方の折曲網部３１ｄをスイッチボックス２１の上表面に沿わせるとともに（図１２参照）、上方の折曲網部３１ｄを最上部の区画板１９の下表面に沿わせるようにして取付位置に保持する。次いで、４隅のねじ挿通部３１ｃにねじ３４を挿入して、フレーム部材１６前面の枠部材１６ａに固定する。
【００５１】
なお、上ファンガード３１の取り付けは、前述の下ファンガード３３及び中ファンガード３２の取り付けとは関係なく行うことができるので、下ファンガード３３及び中ファンガード３２の取り付け前に行ってもよい。
【００５２】
上中下の各ファンガード３１，３２，３３は、上記のように取り付けられるので、区画板１９、スイッチボックス２１、及び下ファンガード３３の上方の折曲網部３３ｄが、ファンガード３１，３２，３３の取付位置案内部材として機能する。
【００５３】
また、上ファンガード３１の上方の折曲網部３１ｄが区画板１９に接触又は近接して取り付けられるとともに、上ファンガード３１の下方の折曲網部３１ｄがスイッチボックス２１に接触又は近接して取り付けられているので、区画板１９及びスイッチボックス２１が折曲網部３１ｄの変形防止部材として機能する。同様に、中ファンガード３２の上方の折曲網部３２ｄが、区画板１９に接触又は近接して取り付けられているので、区画板１９が折曲網部３２ｄの変形防止部材として機能する。また、中ファンガード３２の下方の折曲網部３２ｄが下ファンガード３３の折曲網部３３ｄに接触又は近接して取り付けられているので、これら折曲網部３２ｄ、３３ｄが相互に変形防止部材として機能する。また、下ファンガード３３の上方の折曲網部３３ｄは、中ファンガード３２の下方の折曲網部３２ｄと区画板１９との挟まれた状態で取り付けられるので、折曲網部３２ｄと区画板１９の双方により変形が防止される。また、下ファンガード３３の下方の折曲網部３３ｄは、最下部の区画板１９に接触又は近接して取り付けられているので、区画板１９が折曲網部３３ｄの変形防止部材として機能する。
【００５４】
本実施の形態に係る空気調和機は、以上のように構成されているので、次のような効果を奏することができる。
（１）ファン室５は、ファン４がファン吸込口４ｂを熱交換器室３に向けて開口するように構成されている。したがって、機内循環用のファン４の吸込側に熱交換器２が配置されていることになるので、熱交換器２を大きくすることができるとともに、熱交換器２における風速分布を均一にすることができる。
【００５５】
（２）ファン室５は、ファン４及び駆動用モータ４ａが各１台ずつ収納される室として複数形成されるとともに、各ファン室５ａ，５ｂ，５ｃの室内吹出口２０には、個別に形成されたファンガード３１，３２，３３が着脱自在に取り付けられた簡易な構造とされている。したがって、このファンガード３１，３２，３３を取り外すことにより、室内吹出口２０をファンサービス口としてファン４毎にファン交換等の保守サービスを迅速に行うことができる。
【００５６】
（３）ファン４は、複数台搭載されているので、一部のファン４が故障した場合において残余のファン４により暫定的に空気調和機を運転することができる。
（４）外装ケース１が前面視縦長の直方体に形成されるとともに、このように構成された外装ケース１前面の室内吹出口２０に対し、複数の縦柵３１ａ，３２ａ，３３ａ及び横柵３１ｂ，３２ｂ，３３ｂがそれぞれ一定間隔に配置されて網状に形成されたファンガード３１，３２，３３が前面吹出口に配置されている。したがって、このファンガード３１，３２，３３を嵩張らない前面装飾部材として取り扱うことができる。
【００５７】
（５）各ファンガード３１，３２，３３が左右の縦柵３１ａ，３２ａ，３３ａのみにより外装ケース１に固定されているので着脱が容易である。
（６）各ファンガード３１，３２，３３の上下端部は、左右方向の最も外側の縦柵３１ａ，３２ａ，３３ａの上下端部を除いてはどこにも固定されない。しかし、各ファンガード３１，３２，３３の上下端部には、縦柵３１ａ，３２ａ，３３ａの上下端それぞれが室内吹出口２０の内方に折り曲げられ、この折り曲げられた部分に対し複数の横柵（３１ｂ）が交差するように連結されて折曲網部３１ｄ，３２ｄ，３３ｄが形成されている。したがって、各ファンガード３１，３２，３３の上下端部は、この折曲網部３１ｄ，３２ｄ，３３ｄが形成されていることにより、強度が向上し変形され難くなっている。
【００５８】
（７）ファンガード３１，３２，３３を取り付ける際に、ファンガード３１，３２，３３における折曲網部３１ｄ，３２ｄ，３３ｄのうちの少なくとも一部がファン室５ａ，５ｂ，５ｃの水平方向を区画する区画板１９に沿うように取り付けられているので、この区画板１９をファンガード３１，３２，３３の取付案内部品として機能させることができる。したがって、ファンガード３１，３２，３３の組み付けが容易になる。また、区画板１９は、この区画板１９に接触又は近接するファンガード３１，３２，３３の折曲網部３１ｄ，３２ｄ，３３ｄの変形を予防する部材としても機能することができる。
【００５９】
（８）上ファンガード３１を取り付ける際に、上ファンガード３１の折曲網部３１ｄがスイッチボックス２１の上方の外表面に沿うように取り付けられているので、このスイッチボックス２１を上ファンガード３１の取付案内部品として機能させることができる。したがって、上ファンガード３１の組み付けが容易になる。また、スイッチボックス２１は、上ファンガード３１の折曲網部３１ｄの変形を予防する部材としても機能することができる。
【００６０】
（９）中ファンガード３２を取り付ける際に、中ファンガード３２の下方の折曲網部３２ｄが下ファンガード３３の上方の折曲網部３３ｄに沿うように取り付けられているので、この折曲網部３３ｄを中ファンガード３２の取付案内部品として機能させることができる。したがって、中ファンガード３２の組み付けが容易になる。また、これら隣接する中ファンガード３２と下ファンカード３３双方の折曲網部３２ｄ，３３ｄは、相互にファンガード３２，３３の端部の変形を予防する部材としても機能することができる。
【００６１】
（１０）本実施の形態に係る空気調和機は、熱交換器２に対し冷水で冷却された冷媒が循環されるように構成されているので、冷水を電算機室に持ち込むことがなく、電算機室電算機室用の空気調和機として好適である。
【００６２】
（１１）また、本実施の形態に係る空気調和機は、複数の室内吹出口２０が全体として外装ケース１の前面に略全体に亘るように形成されるとともに、室内空気吸込口１８が外装ケース１の背面に形成されている。したがって、大風量、前面吹出、背面吸い込み形の空気調和機として形成することができ、近年普及している前面吸い込み背面吹出の電算機ラックと並べて設置するのに好適である。また、このように配置できるので、電算機室用の空気調和機として電算機室への組み込みレイアウトを容易に行うことができる。
【００６３】
（変形例）
上記実施の形態において以下のように変更することもできる。
・本実施の形態に係る空気調和機は、電算機室用の空気調和機として記載されているが、電算機室以外の場所の空気調和機としても利用することができる。
【００６４】
・本実施の形態に係る空気調和機は、冷水で冷却された冷媒により室内空気を冷却する空気調和機として記載されているが、熱交換器２として通常のセパレート形空気調和機におけるように冷媒を蒸発又は凝縮させる室内側熱交換器を用いた一般居住空間用の空気調和機としてもよい。
【００６５】
・ファン４としてターボファンを用いているが、シロッコファン、軸流ファン等の他のファンを用いてもよい。
・また、ファン４の台数は、３台に限定されるものではなく、２台以上の任意の複数台としてもよい。
【００６６】
・ファンガード３１，３２，３３において、ねじ挿通部３１ｃ，３２ｃ，３３ｃはリング状に折り曲げられているが、ねじ３４の挿通孔として利用できる環状の形状であればどのような形状でもよい。たとえば、楕円形や三角形としてもよい。
【００６７】
・ファンガード３１，３２，３３は、他の構造のものとしてもよい。また、金属製線状体を縦横に配置した網状のファンガードとする場合においても、線径及び本数を前記実施の形態の場合と縦横対称的に変更した網状のものとしてもよい。
【００６８】
・上記実施の形態においては、上ファンガード３１と中ファンガード３２との間にスイッチボックス２１が設けられていたが、このようなスイッチボックス２１が設けられない場合には、上ファンガード３１の下方の折曲網部３１ｄを区画板１９の上面に沿うように取り付けてもよい。
【符号の説明】
【００６９】
１…外装ケース、２…熱交換器、３…熱交換器室、４…ファン、４ａ…駆動用モータ、４ｂ…ファン吸込口、５，５ａ．５ｂ，５ｃ…ファン室、１８…室内空気吸込口、１９…区画板、２０…室内吹出口、２１…スイッチボックス、３０，３１，３２，３３…ファンガード、３１ａ，３２ａ，３３ａ…縦柵、３１ｂ，３２ｂ，３３ｂ…横柵、３１ｃ，３２ｃ，３３ｃ…ねじ挿通部、３１ｄ，３２ｄ，３３ｄ…折曲網部。
【図１】
0005505321.tif 000002
【図２】
0005505321.tif 000003
【図３】
0005505321.tif 000004
【図４】
0005505321.tif 000005
【図５】
0005505321.tif 000006
【図６】
0005505321.tif 000007
【図７】
0005505321.tif 000008
【図８】
0005505321.tif 000009
【図９】
0005505321.tif 000010
【図１０】
0005505321.tif 000011
【図１１】
0005505321.tif 000012
【図１２】
0005505321.tif 000013